(57)【要約】【課題】ロール製品を製造する際に、情報を簡易かつ大量に保有させることができるロール製品の巻芯を提供する。【解決手段】巻芯１０は、ＩＣユニット２０を備えたスリーブ１４がスリーブ１４の凸部１６が巻芯本体の挿入溝１５に挿入されて巻芯本体１２の内周面に嵌合することにより形成される。そして、帯状物２８を巻芯本体１２に巻回することによりロール製品２６が形成される。【選択図】      図２
2005162335.tif 000002
【特許請求の範囲】
【請求項１】
帯状物を巻回する際に使用されるロール製品の巻芯において、
前記帯状物を巻回する巻芯本体と、
前記巻芯本体の内周面に着脱自在に嵌合され、情報を記憶するとともに該情報を送信及び受信するＩＣユニットを備えたスリーブと、
から構成されることを特徴とするロール製品の巻芯。
【請求項２】
前記ＩＣユニットは、非接触式であることを特徴とする請求項１のロール製品の巻芯。
【請求項３】
前記巻芯本体及び／又はスリーブには、互いに嵌合した際に、前記巻芯本体から前記スリーブが脱落することを防止する脱落防止構造を有することを特徴とする請求項１のロール製品の巻芯。
【発明の詳細な説明】
【技術分野】
【０００１】
本発明はロール製品の巻芯に係り、特に帯状物を巻回してロール製品を形成させるロール製品の巻芯に関する。
【背景技術】
【０００２】
近年、製品管理においてロット番号などの製品製造に関する情報を製品に示して、製品の生産履歴や流通経路を追跡調査することを可能にする、いわゆるトレーサビリティが重要視されている。
【０００３】
従来、ロール製品、例えばラベル連続体の製造において、帯状台紙及び帯状ラベルなどの材料として使用される原紙には、製紙メーカーから納品される際に、原紙の製造に関する情報がバーコードで印字された納品ラベルが包装体上面に添付されている。そして、ラベル連続体の製造時にこれら納品ラベルのバーコードを読み取り管理することにより、ロール製品のトレーサビリティ化が図られている。
【０００４】
また、特許文献１では巻回する巻芯に非接触ＩＣユニットを設けて、多くの情報を記憶させる方法が開示されている。これにより、ロール製品におけるトレーサビリティを向上させるとともに、印字手段における適正な設定を自動的に行なうことができる。
【特許文献１】特開２０００−２８１２６８号公報
【発明の開示】
【発明が解決しようとする課題】
【０００５】
しかしながら、納品ラベルを用いた製品管理では、包装の上面に添付されているため、使用時に包装体とともにはがされるため、納品ラベルの紛失や原紙情報と製品情報とが混同を生じるという問題があった。
【０００６】
特許文献１の非接触ＩＣユニットを用いた管理でも、原紙に使用される巻芯と、原紙から製造される製品の巻芯とは別の巻芯が使用されるため、製品の巻芯には原紙に関する情報がなく、原紙の巻芯にあるＩＣユニットに記憶されている原紙情報を製品の巻芯にあるＩＣユニットに再度入力しなければならず不便である。また、原紙の巻芯をリサイクルする場合にはＩＣユニットが内包されているため分別回収の妨げになる。
【０００７】
本発明はこのような事情に鑑みてなされたもので、ロール製品を製造する際に、情報を簡易かつ大量に保有させることができる巻芯を提供することを目的とする。
【課題を解決するための手段】
【０００８】
本発明の請求項１は前記目的を達成するために、帯状物を巻回する際に使用されるロール製品の巻芯において、前記帯状物を巻回する巻芯本体と、前記巻芯本体の内周面に着脱自在に嵌合され、情報を記憶するとともに該情報を送信及び受信するＩＣユニットを備えたスリーブと、から構成されることを特徴とする。
【０００９】
請求項１によれば、帯状物を巻回する巻芯本体にＩＣユニットを備えたスリーブを嵌合させてロール製品の巻芯として使用することにより、情報を短時間で大量に記憶、受信、及び送信することができるとともに、その情報をロール製品に安定して保有させることができる。
【００１０】
また、ＩＣユニットは新たな情報の追加や記憶していた情報の書き換えが可能なので原紙や製品の情報の紛失や混同を防止できるため、ロール製品に関するトレーサビリティを大幅に向上させることができる。
【００１１】
さらに、スリーブは巻芯本体に着脱可能に嵌合できるため原紙のロール製品の情報をそのまま製品化されたロール製品に移行できる上、スリーブを嵌合させるだけで様々なロール製品に対してＩＣユニットを備えさせることができる。
【００１２】
その上、本発明では巻芯本体にＩＣユニットを設けるのではなく、スリーブにＩＣユニットを設けてスリーブを使い回せるようにしたので、巻芯本体をリサイクルする場合にもＩＣユニットを分別する手間を低減できる。
【００１３】
なお、前記ＩＣユニットは、非接触式であることが好ましい。これにより、巻芯の状態に関係なく、情報の記憶、受信、及び送信を簡易かつ短時間で行なうことができる。
【００１４】
本発明の請求項３は、請求項１の前記巻芯本体及び／又はスリーブには、互いに嵌合した際に、前記巻芯本体から前記スリーブが脱落することを防止する脱落防止構造を有することを特徴とする。
【００１５】
請求項３によれば、スリーブを巻芯本体に嵌合する際に、巻芯本体及びスリーブは脱落防止構造により安定して固定されるため、スリーブが巻芯本体から脱落することを防止できる。これにより、ロール製品の使用に支障をきたすことなくロール製品の情報を確実に保有させることができる。
【発明の効果】
【００１６】
以上説明したように本発明に係るロール製品の巻芯によれば、巻芯本体に着脱可能なスリーブにＩＣユニットを設置することにより、時期や状態に関係なく、情報の記憶、受信、及び送信を行なうことができる巻芯としてロール製品に保有させることができる。これにより、情報の紛失や混同を防止できるので、ロール製品に対するトレーサビリティを向上させることができる。また、巻芯本体をリサイクルする際の効率を向上させることもできる。
【発明を実施するための最良の形態】
【００１７】
以下添付図面に従って本発明に係るロール製品の巻芯における好ましい実施の形態について詳説する。
【００１８】
図１は、本発明の第１の実施の形態であるロール製品の巻芯１０の概略構成を示した解体斜視図である。
【００１９】
巻芯１０は、主に巻芯本体１２及びスリーブ１４から構成される。
【００２０】
巻芯本体１２は帯状物を巻回するための筒状の部材であり、片側の開口部には脱落防止構造を構成する一方の挿入溝１５が設けられる。巻芯本体１２の材質は紙やプラスチック材が使用されるが、特に限定するものではない。
【００２１】
スリーブ１４は巻芯本体１２の内周面に嵌合可能な大きさの筒状の部材であり、外周面には脱落防止構造を構成する他方の凸部１６が設けられる。スリーブ１４は硬質プラスチックなど強度の強い材質であることが好ましいが、特に限定するものではない。また、スリーブ１４の内周面には凹部１８が設けられており、凹部１８の内部にはＩＣユニット２０が設置されている。
【００２２】
ＩＣユニット２０の外周には、情報の受信及び送信を行なうＩＣアンテナ２２が渦巻き状に配設され、ＩＣアンテナ２２の内側には情報を記録するＩＣチップ２４が配置される。また、ＩＣアンテナ２２には同調コンデンサ（図示せず）が設けられ、搬送波の周波数とＩＣアンテナ２２の回路とを共振させて大きな出力を得ている。なお、ＩＣユニット２０における情報の伝送手段は電波を用いることが好ましいが、特に限定するものではなく、赤外線や電磁波などを用いた非接触式の信号伝達形態であってもよい。
【００２３】
上記の如く構成された巻芯１０の作用について説明する。
【００２４】
図２は、本発明の巻芯１０を用いたロール製品２６の斜視図である。
【００２５】
図２に示すように、巻芯１０はスリーブ１４を巻芯本体１２に挿入して嵌合させた状態で使用され、ラベルやテープなどの帯状物２８を巻芯本体１２に巻回することによりロール製品２６が形成される。このとき、巻芯本体１２に嵌合されたスリーブ１４には非接触式のＩＣユニット２０が設置されている。したがって、ＩＣユニット２０に情報の書き込み及び書き出しを行なう手段を使用することにより、多くの情報を簡易かつ大量に記憶するとともに、その情報を受信及び送信できるロール製品２６を製造することができる。
【００２６】
図３は、巻芯１０のＩＣユニット２０と、情報の書き込み及び書き出しを行なう手段であるリーダライタ４０との情報の流れを示したブロック図である。
【００２７】
スリーブ１４に内蔵されたＩＣユニット２０のＩＣチップ２４には、主に変調・復調回路３０と、マイクロプロセッサ（以下、ＭＰＵと記す）３２と、情報を記憶する領域であるメモリ３４とから構成されている。ＭＰＵ３２はメモリ３４と接続し、メモリ３４に対する情報の読み取り及び書き込みを行う。また、ＭＰＵ３２は変調・復調回路３０と接続しており、メモリ３４からの情報又はＩＣアンテナ２２からの搬送波を変調又は復調させる。ＩＣユニット２０における情報の記憶・受信・送信は、リーダライタ４０からの搬送波の電磁誘導によりＩＣチップ２４が駆動して行なわれる。
【００２８】
ＩＣユニット２０から情報をリーダライタ４０へ送信する場合には、ＭＰＵ３２はメモリ３４から情報を読み出し、変調・復調回路３０で情報の信号に負荷変調などを施した後、ＩＣアンテナ２２から搬送波として発信する。
【００２９】
また、リーダライタ４０からＩＣユニット２０へ情報の記憶又は書き換えを行なう場合には、リーダライタ４０からの搬送波をＩＣアンテナ２２で受信して、その搬送波を変調・復調回路３０で情報に復調し、その情報をＭＰＵ３２がメモリ３４へ書き込んで記憶させる。
【００３０】
リーダライタ４０は、アンテナ４２、電源回路４４、変調・復調回路４６、制御回路４８、操作端末５０、及びホストコンピュータ５２から構成される。
【００３１】
操作端末５０はＩＣユニット２０へ記憶させる情報を入力などで操作する端末であり、ホストコンピュータ５２はＩＣユニット２０に記憶させる情報に対する操作やＩＣユニット２０から送信された情報の表示を行なう。
【００３２】
ＩＣユニット２０に対する記憶された情報の書き換えや、ＩＣユニット２０に対する新たな情報の追加を行なう場合には、操作端末５０又はホストコンピュータ５２で操作して、書き換え又は追加する情報の指令を制御回路４８に送る。その指令に従って、制御回路４８は変調・復調回路４６にて書き換え又は追加して記憶する情報の信号に負荷変調などを施した後、アンテナ４２から情報を搬送波として送信する。
【００３３】
また、ＩＣユニット２０の情報を確認する場合には、ＩＣユニット２０から発信された搬送波をアンテナ４２で受信して、受信した搬送波を制御回路４８が変調・復調回路４６でＩＣユニット２０からの情報に復調させた後、ホストコンピュータ５２へ送信して表示させる。
【００３４】
このように、スリーブ１４に内蔵されたＩＣユニット２０は非接触式に情報を送受信できるため、リーダライタ４０などＩＣユニット２０に対する情報の書き込み及び書き出しを行なう手段を用いれば、巻芯１０の状態に関係なく、簡易かつ瞬時に情報の書き込み及び書き出しを行なうことができる。
【００３５】
また、印字などの情報伝達手段と比べて多くの情報を記憶できる上、何時でも記憶された情報を書き換えたり、新たに情報を追加して記憶させたりできるので、紙管の製造に関する情報だけでなく、巻芯１０を用いた製品、例えばロール製品の製造に関する情報の記憶、送信、及び受信をも行なうことができる。
【００３６】
さらに、ロール製品２６が使用された後、その巻芯１０を新たなロール製品の巻芯に使用しても、その製造情報を追加して記憶させることができる上、今まで使用されたロール製品２６の情報も確認することができる。これにより、ロール製品に対して高いトレーサビリティを保持しつつ、巻芯１０の再利用化を促進することができるので、ロール製品の製造に要するコストを大幅に削減することができる。
【００３７】
巻芯１０は巻芯本体１２にスリーブ１４を着脱自在に嵌合された状態で形成されている。このため、巻芯本体１２が再利用不能であっても、スリーブ１４を抜き取って新たな巻芯本体１２に嵌合させることができる。したがって、巻芯本体１２をリサイクルする場合でも、スリーブ１４を抜き取ればＩＣユニット２０を巻芯本体１２から簡単に分離できるので便利である。
【００３８】
また、スリーブ１４を巻芯本体１２に嵌合すると、スリーブ１４の凸部１６が巻芯本体１２の挿入溝１５に挿入される。これにより、ロール製品の使用に支障をきたさずにスリーブ１４を巻芯本体１２に安定して嵌合できるとともに、スリーブ１４が巻芯本体１２からズレて脱落することを防止できるので、情報の紛失や混同を防止することができる。
【００３９】
図４は、本発明の第２の実施の形態であるロール製品の巻芯６０の概略構成を示した解体斜視図である。
【００４０】
巻芯６０の構成は、本発明の第１の実施の形態である巻芯１０と同様であるが、脱落防止構造としてスリーブ１４の片側の開口部にフランジ５４が設けられている。これにより、ロール製品に使用される際に、巻芯本体１２からスリーブ１４がズレて脱落することを抑制できる。本発明の巻芯を用いていないロール製品でも、径が合えば本発明以外の巻芯にスリーブ１４を挿入して嵌合させることができるので、様々なロール製品に対するトレーサビリティを向上させることができる。
【００４１】
図５は、本発明の第１及び第２の実施の変形例である巻芯７０，８０の概略構成を示した解体斜視図であり、図５（Ａ）の巻芯７０は本発明の第１の実施の形態である巻芯１０の変形例を示しており、図５（Ｂ）の巻芯８０は第２の実施の形態である巻芯６０の変形例を示している。
【００４２】
図５に示すように、各巻芯７０，８０のスリーブ１４，１４の長手方向には、割込み溝５６，５６が設けられている。これにより、スリーブ１４を巻芯本体１２に嵌合させた際に、スリーブ１４には外周方向への外力を発生させる、いわゆるスプリング作用が働くため、スリーブ１４を巻芯本体１２により安定して嵌合させることができる。
【図面の簡単な説明】
【００４３】
【図１】本発明の第１の実施の形態である巻芯の解体斜視図
【図２】本発明の第１の実施の形態である巻芯を用いたロール製品の斜視図
【図３】本発明の巻芯に使用されるスリーブのＩＣユニットとリーダライタとの情報の流れを示したブロック図
【図４】本発明の第２の実施の形態である巻芯の解体斜視図
【図５】本発明の第１及び第２の実施の変形例である巻芯の解体斜視図
【符号の説明】
【００４４】
１０，６０，７０，８０…巻芯、１２…巻芯本体、１４…スリーブ、１５…挿入溝、１６…凸部、１８…凹部、２０…ＩＣユニット、２２…ＩＣアンテナ、２４…ＩＣチップ、２６…ロール製品、２８…帯状物、３０…変調・復調回路、３２…ＭＰＵ、３４…メモリ、４０…リーダライタ、４２…アンテナ、４４…電源回路、４６…変調・復調回路、４８…制御回路、５０…操作端末、５２…ホストコンピュータ、５４…フランジ、５６…割込み溝
【図１】
2005162335.tif 000003
【図２】
2005162335.tif 000004
【図３】
2005162335.tif 000005
【図４】
2005162335.tif 000006
【図５】
2005162335.tif 000007